(57)【特許請求の範囲】
【請求項１】
ケーブルタイであって、
第１の端部と、該第１の端部と反対側にある第２の端部と、高さを有し、ストラップボディの長さに亘って長さ方向に伸びている一対の側部レイルとを有するストラップボディと、
前記ストラップボディの前記第１の端部に固定された係止ヘッド部と、
ストラップボディ受け入れチャンネルを形成する、前記係止ヘッド部の複数の壁と、を備え、
前記ストラップボディは、第１の所定の深さを有する複数の歯からなる第１のグループの歯と、第２の所定の深さを有する複数の歯からなる第２のグループの歯とを含み、該第１の深さは該第２の深さよりも大きく、該第１の深さと該第２の深さとは、前記側部レイルの高さから下方の深さであり、前記第１のグループの複数の歯と前記第２のグループの複数の歯とは同一の高さを有し、
前記第１のグループの歯は、前記ストラップボディの前記第１の端部に隣接している、ケーブルタイ。
【請求項２】
前記第１のグループの歯の深さは、前記第２のグループの歯の深さよりも約０．０２５４ｍｍ（０．００１インチ）乃至約０．１７７８ｍｍ（０．００７インチ）の間ほど大きい、請求項１に記載のケーブルタイ。
【請求項３】
前記第１のグループの歯の深さは、前記第２のグループの歯の深さよりも約０．０７６２ｍｍ（０．００３インチ）ほど大きい、請求項１に記載のケーブルタイ。
【請求項４】
前記ストラップボディ及び前記係止ヘッド部は、ポリマー熱可塑性材料から一体成形される、請求項１に記載のケーブルタイ。
【請求項５】
前記ストラップボディ及び前記係止ヘッド部は、ナイロンから一体成形されている、請求項１に記載のケーブルタイ。
【発明の詳細な説明】
【０００１】
【発明の属する技術分野】
本発明は、単一構造のケーブルタイに係り、より詳しくは、小さい巻き径において係止ウェッジ及びストラップボディの間の係合を改善するため、ストラップボディ歯を段下げさせた一部品ケーブルタイに関する。
【０００２】
【従来技術】
ケーブルタイが周知されており、これは、一般には、ヘッドと一体的に形成された細長いストラップボディを備え、該ヘッドは、一束のワイヤ又はケーブルの回りにストラップを固定するためのストラップボディ係止機構を備えたストラップボディ通路を有する。典型的には、ケーブルタイのストラップボディ歯は、側部レイルの頂部表面と同じ高さのところ又は僅かに下方に、それらのピーク部を有する。図４に示されているように、従来技術のケーブルタイでは、この高さは、ケーブルタイストラップボディの長さを通して同じままになっている。
【０００３】
ヘッド部内の係止ウェッジの配位及びストラップボディを真っ直ぐにしようとする自然の傾向に起因して、ストラップボディ歯は、ケーブルタイが取り付けられるとき、特にケーブルタイがより小さな巻き径に到達したとき、係止ウェッジに対抗して押圧する。迅速にケーブルタイを結び合わせる間、ストラップボディ歯は、係止ウェッジの第１の歯に余剰の力を作用する。その結果、第１の歯は、変形されて伸張される。係止ウェッジの第１の歯と接触するストラップボディ歯に隣接したストラップボディ歯は、伸長されたウェッジ歯がストラップボディ歯と係合した状態になり得る前に、係止ウェッジを係合から外れた状態へと押すことができる。この係合解除効果は、例えば約２．５４ｃｍ（１インチ）以下の、より小さい巻き径に対して、より大きいと云える。
【０００４】
【発明が解決しようとする課題】
より小さい巻き径の用途に関して係止ウェッジ係合を改善するため、様々な深さの２つ以上のケーブルタイストラップボディ歯部を提供することが望ましいであろう。
【０００５】
係止ウェッジのウェッジ傾斜部と、ストラップボディ歯のピーク部との間の距離を増加させるため、ストラップボディ歯の深さに段下げを設けたケーブルタイを提供することも望ましいであろう。
【０００６】
伸長された係止ウェッジ歯をストラップボディ歯と係合した状態へと下方に枢動させるための追加の間隔を提供するため、段下げされたストラップボディ歯を有するケーブルタイを提供することが更に望ましい。
【０００７】
【課題を解決するための手段】
本発明は、段下げされたストラップボディ歯を有するケーブルタイを備える。ケーブルタイは、第１の端部と、該第１の端部と反対側にある第２の端部と、を有するストラップボディと、該ストラップボディの第１の端部に固定された係止ヘッド部と、ストラップボディ受け入れチャンネルを形成する、該係止ヘッド部の複数の壁と、を備える。該ストラップボディは、第１の所定の深さを有する第１のグループの歯と、第２の所定の深さを有する第２のグループの歯と、を備える。該第１のグループの歯の深さは、第２のグループの歯の深さよりも約０．０２５４ｍｍ（０．００１インチ）乃至約０．１７７８ｍｍ（０．００７インチ）の間ほど大きい。
【０００８】
好ましくは、第１のグループの歯の深さは、第２のグループの歯の深さよりも約０．０７６２ｍｍ（０．００３インチ）ほど大きい。
好ましくは、第１のグループの歯は、ストラップボディの第１の端部に隣接している。
【０００９】
【発明の実施の形態】
本発明の図示の実施形態は、小さな直径において、係止ウェッジ及びストラップボディの間の係合を改善するため、段下げされたストラップボディ歯を有する、一部品ケーブルタイに関する。
【００１０】
図１は、一束のケーブル２２を固定するため、例えばナイロン６，６等の適切なポリマー熱可塑性材料から一体成形された、ケーブルタイ２０を示している。
ケーブルタイ２０は、同様に、他のグレードのナイロン又は非ナイロン材料から成形されてもよいと考えられる。好ましくは、ケーブルタイ２０の全体長さは、約３５．６ｃｍ（約１４インチ）である。同様に、ケーブルタイを任意の所望の長さにしてもよいと考えられる。
【００１１】
図２は、ケーブルタイ２０の斜視図を示し、図３は、該ケーブルタイの拡大断面図を示している。これらの図で理解することができるように、ケーブルタイ２０は、ヘッド部２４と、ストラップボディ２６と、を備える。ストラップボディ２６は、第１の端部２８と、該第１の端部２８の反対側にある、角度を付けられた第２の端部３０と、を有する。ストラップボディ２６は、該ストラップボディ２６の長さに亘って長さ方向に延びている、一対の側部レイル３２も有しており、該側部レイル３２の間に、例えば３４、３６、３８、４０、４２及び４４（図８、１０及び１１を参照せよ）等の複数のストラップボディ歯が延びている。図２に示されたように、セレーション４６は、ストラップボディ２６の第２の端部３０の近傍に、側部レイル３２に形成されている。
【００１２】
図２及び拡大された図３で最も良く示されているように、ストラップボディ受け入れチャンネル４８は、端部壁５０、第１の側壁５２、第２の側壁５４及び内側壁５６により、ヘッド部２４内で画成される。ヘッド部２４は、ストラップボディ２６がヘッド部２４を貫通されるところの入口表面５８と、ストラップボディ２６がヘッド部２４を出るところの出口表面６０と、を有する。図３に示されているように、歯が係止ウェッジ６２に形成されている。好ましくは、係止ウェッジ６２は、第１の歯６４と、第２の歯６６と、第３の歯６８と、ウェッジ傾斜部７０と、を有する。ウェッジ傾斜部７０は、更なる詳細を後述されるように、ストラップボディ２６のストラップボディ受け入れチャンネル４８への挿入の間に、ケーブルタイ２０のストラップボディ歯のピーク部と接触する。
【００１３】
図４で理解することができるように、ケーブルタイのストラップボディ歯は、側部レイル３２の頂部表面と同じ高さのところ又は僅かに下方に、それらのピーク部を有する。従来技術のケーブルタイでは、この高さは、ケーブルタイボディの長さを通して同じままになっている。これとは逆に、図５は、側部レイル３２に対するストラップ歯ボディ形状におけるシフトを示している。ケーブルタイ２０の大部分は、深さＡのストラップボディ歯ピーク部を有し、ヘッド部２４に最も近接した領域については、ストラップボディ歯のピーク部は深さＢのところにある。好ましくは、深さＡは、側部レイル３２の下方に約０．０５０８ｍｍ（０．００２インチ）であり、深さＢは側部レイル３２の下方に約０．１２７ｍｍ（０．００５インチ）である。かくして、深さＢにおけるストラップボディ歯のピーク部は、約０．０７６２ｍｍ（０．００３インチ）だけ深さＡのところのストラップボディピーク部からオフセットされている。好ましくは、ストラップボディ歯のピーク部は、ヘッド部２４に最も近いところから約７．６２ｃｍ（３インチ）を含む長さまでの任意の長さについて深さＢとなるのがよい。
【００１４】
図６は、係止ウェッジ６２の第１の歯６４が変形され伸張される前において、ストラップボディ２６が矢印の方向にヘッド部２４を通されるときのケーブルタイ２０の通常の作動を示している。第１の歯６４は、ストラップボディ２６が、所望の巻き径に通されるまで、ストラップボディ歯のピーク部に沿ってスキップする。図７に示されるように、所望の直径に達した後、第１の歯６４は、背が低くなり、ケーブルタイのストラップボディ歯と係合する。この係合は、ストラップボディ歯内部で係止ウェッジ６２を固定する。
【００１５】
しかし、ヘッド部２４内部の係止ウェッジ６２の配位及びストラップボディが真っ直ぐになろうとする自然の傾向に起因して、ストラップボディ歯は、ケーブルタイ２０が取り付けられるとき、特にケーブルタイ２０がより小さな巻き径に達したとき、係止ウェッジ６２に対抗して押圧する。迅速なケーブルタイの通しの間に、ストラップボディ歯は、係止ウェッジ６２の第１の歯６４に余剰の力を作用する。その結果、第１の歯６４は、変形されて伸張される。図８の従来技術で示されているように、ウェッジ傾斜部７０は、ストラップボディ歯３４に隣接したストラップボディ歯３６と係合する。ストラップボディ歯３６は、伸長されたウェッジ歯６４がストラップボディ歯３４と係合した状態へと落ちることができる前に、係止ウェッジ６２を係合状態から外れるように押す。この係合解除効果は、例えば約２．５４ｃｍ（１インチ）以下のより小さい巻き径に対してより大きいと云える。図９で理解することができるように、図８の従来技術のケーブルタイが矢印の方向に後戻りするとき、伸長された係止ウェッジ歯６４は、ストラップボディ歯に沿ってスキップし、その結果、不適切な係合を生じさせる。
【００１６】
図１０の好ましい実施形態で示されているように、ストラップボディ２６が矢印の方向に通されている間、伸長された係止ウェッジ歯６４は、深さＡのところでストラップボディ歯３８のピーク部と接触し、次に、ケーブルタイ２０がより小さな巻き径に達したとき、深さＢのところでストラップボディ歯４０のピーク部と接触するように移動し、段下げされる。ストラップボディ歯の深さＡから深さＢへの段下げは、ウェッジ傾斜部７０と、ストラップボディ歯のピーク部との間の距離を増加させる。図１１に示されているように、この増加した距離即ちクリアランスは、係止ウェッジ６２が、隣接するストラップボディ歯４４のピーク部と接触する前にストラップボディ歯４２と接触した状態へと更に枢動することを可能にする。係止ウェッジ６２は、通しの後、ケーブルタイのストラップボディ歯と係合した状態へと下方に枢動する。
【００１７】
図１２に示されるように、伸長された係止ウェッジ歯６４は、矢印の方向の後戻り後に、ケーブルタイストラップボディ歯内部でしっかりと係合される。図１３は、最大負荷又は張力の下でストラップボディ歯内部に係合された係止ウェッジ６２を示している。最大張力の下で、第１、第２及び第３の係止ウェッジ歯６４、６６、６８の各々は、ストラップボディと係合する。
【００１８】
開示された発明は、段下げされたストラップボディ歯を有するケーブルタイを提供する。本発明の、上述され且つ図示された実施形態及び好ましい実施形態は、本発明に係るケーブルタイが取り得るような形態の包括的なリストではなく、それらは、現在のところ理解されるような本発明の実施形態の典型的な実例であることを理解するべきである。例えば、様々な深さを持つ３つ以上のケーブルタイのストラップボディ歯区分を有するケーブルタイは、本発明の範囲内にあると考えられるが、これに限定するものではない。本発明の多数の他の形態が存在すると考えられる。
【図面の簡単な説明】
【図１】図１は、一束のワイヤ又はケーブルを固定する工程を示された、本発明のケーブルタイの斜視図を示している。
【図２】図２は、図１のケーブルタイの斜視図を示す。
【図３】図３は、図２のライン３−３に沿って取られ且つ矢印の方向で見ている、図１のケーブルタイの拡大断面図を示している。
【図４】図４は、従来技術に係るケーブルタイの拡大断面図を示す。
【図５】図５は、図２のライン５−５に沿って取られ且つ矢印の方向で見ている、図１のケーブルタイの拡大断面図を示している。
【図６】図６は、係止ウェッジ及びストラップボディ歯の係合の前における、図１のケーブルタイの拡大断面図を示す。
【図７】図７は、係止ウェッジ及びストラップボディ歯の係合の後における、図１のケーブルタイの拡大断面図を示す。
【図８】図８は、係止ウェッジが伸長された第１の歯を有し、隣接するストラップ歯がウェッジ傾斜部と干渉した状態における、従来技術に係るケーブルタイの通しの間の拡大断面図を示す。
【図９】図９は、係止ウェッジが伸長された第１の歯を有する状態における、後戻りの間の従来技術に係るケーブルタイの拡大断面図を示す。
【図１０】図１０は、係止ウェッジ及びストラップボディ歯の係合の前における、図１のケーブルタイの拡大断面図を示す。
【図１１】図１１は、係止ウェッジ及びストラップボディ歯の係合の後における、図１のケーブルタイの拡大断面図を示す。
【図１２】図１２は、後戻り後における、図１のケーブルタイの拡大断面図を示す。
【図１３】図１３は、最大負荷がかけられた状態下で後戻りした後における、図１のケーブルタイの拡大断面図を示す。
【符号の説明】
２０    ケーブルタイ
２２    一束のケーブル
２４    ヘッド部
２６    ストラップボディ
２８    第１の端部
３０    第２の端部
３２    側部レイル
３４、３６、３８、４０、４２、４４    ストラップボディ歯
４６    セレーション
４８    ストラップボディ受け入れチャンネル
５０    端部壁
５２    第１の側壁
５４    第２の側壁
５６    内側壁
５８    入口表面
６０    出口表面
６２    係止ウェッジ
６４    第１の歯
６６    第２の歯
６８    第３の歯
７０    ウェッジ傾斜部
【図１】
0004643893.tif 000002
【図２】
0004643893.tif 000003
【図３】
0004643893.tif 000004
【図４】
0004643893.tif 000005
【図５】
0004643893.tif 000006
【図６】
0004643893.tif 000007
【図７】
0004643893.tif 000008
【図８】
0004643893.tif 000009
【図９】
0004643893.tif 000010
【図１０】
0004643893.tif 000011
【図１１】
0004643893.tif 000012
【図１２】
0004643893.tif 000013
【図１３】
0004643893.tif 000014